(57)【要約】【課題】海面より上方に設置されるプラント設備に海水を汲み上げるための付帯設備の設置を必須とすることなく、海水を用いてプラント設備の熱源を冷却することが可能な浮体構造物を提供する。【解決手段】海水流入口１０から流入する海水を流通させる上流側流路７０と、上流側流路７０から流入する海水を流通させて海水流出口２０へ導く下流側流路８０と、上流側流路７０と下流側流路８０とを連結する連結流路９０と、連結流路９０に設けられ、海水を用いてプラント設備の熱源を冷却する熱交換器３０とを備え、熱交換器３０は、上流側流路７０から連結流路９０に海水が流入する流入位置よりも上方であって連結流路９０から下流側流路８０に海水が流出する流出位置よりも下方に配置されている浮体構造物１００を提供する。【選択図】図２
2015054577.tif 000002
【特許請求の範囲】
【請求項１】
プラント設備を搭載可能な浮体構造物であって、
前記浮体構造物の外周面かつ喫水線の下方に設けられた海水流入口と、
前記浮体構造物の外周面かつ前記喫水線の下方に設けられた海水流出口と、
前記海水流入口から流入する海水を流通させる上流側流路と、
前記上流側流路から流入する海水を流通させて前記海水流出口へ導く下流側流路と、
前記上流側流路と前記下流側流路とを連結する連結流路と、
前記連結流路に設けられ、海水を用いて前記プラント設備の熱源を冷却するための熱交換器とを備え、
前記熱交換器は、前記上流側流路から前記連結流路に海水が流入する流入位置よりも上方であって前記連結流路から前記下流側流路に海水が流出する流出位置よりも下方に配置されていることを特徴とする浮体構造物。
【請求項２】
前記海水流入口は、前記海水流出口より低い位置に配置されていることを特徴とする請求項１に記載の浮体構造物。
【請求項３】
前記浮体構造物は、鉛直方向の長さが他の方向の長さよりも短い直方体形状であり、
前記海水流入口と前記海水流出口とが、それぞれ隣接せずに対向する側面に設けられていることを特徴とする請求項１又は請求項２に記載の浮体構造物。
【請求項４】
前記浮体構造物は、鉛直方向の長さが他の方向の長さよりも短い直方体形状であり、
前記海水流入口と前記海水流出口とが、同一の側面に設けられていることを特徴とする請求項１又は請求項２に記載の浮体構造物。
【請求項５】
前記浮体構造物は、鉛直方向の長さが他の方向の長さよりも短い直方体形状であり、
前記海水流入口が前記浮体構造物の下面に設けられ、
前記海水流出口が前記浮体構造物のいずれか１つの側面に設けられていることを特徴とする請求項１又は請求項２に記載の浮体構造物。
【請求項６】
前記熱交換器は、前記プラント設備の熱源を冷却する冷却水を循環させる冷却水系統の配管を含み、該冷却水系統を循環する冷却水と海水との熱交換を行うことを特徴とする請求項１から請求項５のいずれか１項に記載の浮体構造物。
【請求項７】
プラント設備を搭載可能な浮体構造物であって、
前記浮体構造物の外周面かつ喫水線の下方に設けられた海水流入口と、
前記浮体構造物の外周面かつ前記喫水線の下方に設けられた海水流出口と、
前記海水流入口から流入する海水を流通させる上流側流路と、
前記上流側流路から流入する海水を流通させて前記海水流出口へ導く下流側流路と、
前記上流側流路と前記下流側流路とを連結する連結流路と、
前記連結流路に設けられ、海水を用いて前記プラント設備の冷熱源を加熱するための熱交換器とを備え、
前記熱交換器は、前記上流側流路から前記連結流路に海水が流入する流入位置よりも下方であって前記連結流路から前記下流側流路に海水が流出する流出位置よりも上方に配置されていることを特徴とする浮体構造物。
【請求項８】
液化ガスの再ガス化プラント設備を搭載可能であり、
前記熱交換器は、海水を用いて液化ガスを加熱してガス化することを特徴とする請求項７に記載の浮体構造物。
【発明の詳細な説明】
【技術分野】
【０００１】
本発明は、浮体構造物に関する。
【背景技術】
【０００２】
従来、プラント設備等を搭載した洋上の浮体構造物として、ＦＰＳＯ（Ｆｌｏａｔｉｎｇ  Ｐｒｏｄｕｃｔｉｏｎ  Ｓｔｏｒａｇｅ  ａｎｄ  Ｏｆｆｌｏａｄｉｎｇ）と呼ばれる設備が知られている。また、ＦＰＳＯの一形態として、ＬＮＧ液化プラント又はＬＮＧ再ガス化プラントを搭載したＦＬＮＧ（Ｆｌｏａｔｉｎｇ  Ｌｉｑｕｅｆｉｅｄ  Ｎａｔｕｒａｌ  Ｇａｓ）が知られている（例えば、特許文献１参照）。
【先行技術文献】
【特許文献】
【０００３】
【特許文献１】特開２０１２−１２２５５４号公報
【発明の概要】
【発明が解決しようとする課題】
【０００４】
ＦＬＮＧ等のＦＰＳＯに搭載されるプラント設備は、燃焼器や圧縮機等の高熱を発生する機器（熱源）を含むのが一般的である。これらの高熱を発生する機器を冷却するために、冷却水を循環させて機器（熱源）を冷却する冷却系統が用いられる。ＦＰＳＯに搭載されるプラント設備においては、冷却系統の冷却水として海水が用いられることがある。
【０００５】
しかしながら、プラント設備は海面より上方に設置されているため、海水を冷却水として用いるためには、海水をプラント設備に汲み上げるためのポンプ等の付帯設備の設置が必須となる。このような付帯設備をプラント設備に設けることは、プラント設備の建設費用の増加となり、また付帯設備を稼働させる動力が必要となってしまう。
【０００６】
本発明は、上記の事情に鑑みてなされたものであり、海面より上方に設置されるプラント設備に海水を汲み上げるための付帯設備の設置を必須とすることなく、海水を用いてプラント設備の熱源を冷却することが可能な浮体構造物を提供することにある。
【課題を解決するための手段】
【０００７】
本発明は、上記課題を解決するため、以下の手段を採用した。
本発明に係る浮体構造物は、プラント設備を搭載可能な浮体構造物であって、前記浮体構造物の外周面かつ喫水線の下方に設けられた海水流入口と、前記浮体構造物の外周面かつ前記喫水線の下方に設けられた海水流出口と、前記海水流入口から流入する海水を流通させる上流側流路と、前記上流側流路から流入する海水を流通させて前記海水流出口へ導く下流側流路と、前記上流側流路と前記下流側流路とを連結する連結流路と、前記連結流路に設けられ、海水を用いて前記プラント設備の熱源を冷却するための熱交換器とを備え、前記熱交換器は、前記上流側流路から前記連結流路に海水が流入する流入位置よりも上方であって前記連結流路から前記下流側流路に海水が流出する流出位置よりも下方に配置されていることを特徴とする。
【０００８】
本発明に係る浮体構造物は、浮体構造物の外周面かつ喫水線の下方に設けられた海水流入口及び海水流出口を備える。海水流入口から上流側流路に流入した海水は、連結流路を経由して下流側流路に流入し、海水流出口から浮体構造物の外部へ流出する。連結流路には熱交換器が設けられており、海水を用いてプラント設備の熱源を冷却する。この熱交換器は、上流側流路から連結流路に海水が流入する流入位置よりも上方であって連結流路から下流側流路に海水が流出する流出位置よりも下方に配置されている。
【０００９】
連結流路において熱交換器により海水が熱せられると、海水が下方から上方に移動（上昇）する自然対流が発生する。自然対流の発生に伴い、熱交換器の下方に配置された流入位置から熱交換器の上方に配置された流出位置に向けて海水が流れる。流入位置は上流側流路に連通しており、流出位置は下流側流路に連通しているので、上流側流路から下流側流路に向けて海水が移動する。
【００１０】
このようにすることで、海面より上方に設置されるプラント設備に海水を汲み上げるための付帯設備の設置を必須とすることなく、海水を用いてプラント設備の熱源を冷却することが可能な浮体構造物を提供することができる。
【００１１】
本発明の第１態様の浮体構造物は、前記海水流入口が、前記海水流出口より低い位置に配置されていることを特徴とする。
このようにすることで、自然対流の発生に伴って生じる上流側流路から下流側流路に向けた海水の移動をより円滑に行わせることができる。
【００１２】
本発明の第２態様の浮体構造物は、鉛直方向の長さが他の方向の長さよりも短い直方体形状であり、前記海水流入口と前記海水流出口とが、それぞれ隣接せずに対向する側面に設けられていることを特徴とする。
このようにすることで、海水流入口と海水流出口が十分に離れた位置とすることができる。従って、海水流出口から流出した海水が再び海水流入口から流入し、熱交換器の冷却効率を低めてしまう不具合を防止することができる。
【００１３】
本発明の第３態様の浮体構造物は、鉛直方向の長さが他の方向の長さよりも短い直方体形状であり、前記海水流入口と前記海水流出口とが、同一の側面に設けられていることを特徴とする。
このようにすることで、海水流入口と海水流出口とを対向する側面に設ける場合に比べ、上流側流路及び下流側流路の流路長を短くすることが可能となる。上流側流路及び下流側流路の流路長を短くすることにより、上流側流路から下流側流路に向けた海水の移動をより円滑に行わせることができる。
【００１４】
本発明の第４態様の浮体構造物は、鉛直方向の長さが他の方向の長さよりも短い直方体形状であり、前記海水流入口が前記浮体構造物の下面に設けられ、前記海水流出口が前記浮体構造物のいずれか１つの側面に設けられていることを特徴とする。
このようにすることで、浮体構造物の外周面のうち最も低い位置である下面から上流側流路に向けて鉛直方向に海水が流入する。従って、自然対流の発生に伴って生じる上流側流路から下流側流路に向けた海水の移動をより円滑に行わせることができる。
【００１５】
本発明の第５態様の浮体構造物は、前記熱交換器が、前記プラント設備の熱源を冷却する冷却水を循環させる冷却水系統の配管を含み、該冷却水系統を循環する冷却水と海水との熱交換を行うことを特徴とする。
このようにすることで、プラント設備の熱源を冷却する冷却水と海水との熱交換が行われ、海水を用いたプラント設備の熱源の冷却を適切に行うことができる。
【００１６】
また、本発明に係る浮体構造物は、プラント設備を搭載可能な浮体構造物であって、前記浮体構造物の外周面かつ喫水線の下方に設けられた海水流入口と、前記浮体構造物の外周面かつ前記喫水線の下方に設けられた海水流出口と、前記海水流入口から流入する海水を流通させる上流側流路と、前記上流側流路から流入する海水を流通させて前記海水流出口へ導く下流側流路と、前記上流側流路と前記下流側流路とを連結する連結流路と、前記連結流路に設けられ、海水を用いて前記プラント設備の冷熱源を加熱するための熱交換器とを備え、前記熱交換器は、前記上流側流路から前記連結流路に海水が流入する流入位置よりも下方であって前記連結流路から前記下流側流路に海水が流出する流出位置よりも上方に配置されていることを特徴とする。
【００１７】
本発明に係る浮体構造物は、浮体構造物の外周面かつ喫水線の下方に設けられた海水流入口及び海水流出口を備える。海水流入口から上流側流路に流入した海水は、連結流路を経由して下流側流路に流入し、海水流出口から浮体構造物の外部へ流出する。連結流路には熱交換器が設けられており、海水を用いてプラント設備の冷熱源を加熱する。この熱交換器は、上流側流路から連結流路に海水が流入する流入位置よりも下方であって連結流路から下流側流路に海水が流出する流出位置よりも上方に配置されている。
【００１８】
連結流路において熱交換器により海水が冷却されると、海水が上方から下方に移動（下降）する自然対流が発生する。自然対流の発生に伴い、熱交換器の上方に配置された流入位置から熱交換器の下方に配置された流出位置に向けて海水が流れる。流入位置は上流側流路に連通しており、流出位置は下流側流路に連通しているので、上流側流路から下流側流路に向けて海水が移動する。
【００１９】
このようにすることで、海面より上方に設置されるプラント設備に海水を汲み上げるための付帯設備の設置を必須とすることなく、海水を用いてプラント設備の冷熱源を加熱することが可能な浮体構造物を提供することができる。
【００２０】
以上の本発明に係る浮体構造物は、液化ガスの再ガス化プラント設備を搭載可能であり、前記熱交換器は、海水を用いて液化ガスを加熱してガス化する態様であってもよい。
このようにすることで、海水を用いて液化ガスを加熱してガス化することが可能な浮体構造物を提供することができる。
【発明の効果】
【００２１】
本発明によれば、海面より上方に設置されるプラント設備に海水を汲み上げるための付帯設備の設置を必須とすることなく、海水を用いてプラント設備の熱源を冷却することが可能な浮体構造物を提供することができる。
また、本発明によれば、海面より上方に設置されるプラント設備に海水を汲み上げるための付帯設備の設置を必須とすることなく、海水を用いてプラント設備の冷熱源を加熱することが可能な浮体構造物を提供することができる。
【図面の簡単な説明】
【００２２】
【図１】第１実施形態の浮体構造物を示す斜視図である。
【図２】第１実施形態の浮体構造物及び冷却水系統を示す概略構成図である。
【図３】第２実施形態の浮体構造物及び冷却水系統を示す概略構成図である。
【図４】第３実施形態の浮体構造物及び冷却水系統を示す概略構成図である。
【図５】第４実施形態の浮体構造物及び中間熱媒体系統を示す概略構成図である。
【発明を実施するための形態】
【００２３】
〔第１実施形態〕
以下、本発明の第１実施形態の浮体構造物について、図１及び図２を参照しつつ説明する。
図１は、本実施形態の浮体構造物１００を示す斜視図である。図２は、本実施形態の浮体構造物１００及び冷却水系統１０１を示す概略構成図である。
【００２４】
図１に示す浮体構造物１００は、ＦＰＳＯ（Ｆｌｏａｔｉｎｇ  Ｐｒｏｄｕｃｔｉｏｎ  Ｓｔｒａｇｅ  ａｎｄ  Ｏｆｆｌｏａｄｉｎｇ）と呼ばれる構造物であり、プラント設備Ｐを搭載可能である。プラント設備Ｐは、圧縮機等の各種の動力源を含んでおり、これらの動力源は熱を発生する熱源となっている。そして、これら熱源としての複数の動力源を冷却するために、プラント設備Ｐには冷却水を循環させる冷却水系統１０１（図２参照）が備わっている。プラント設備Ｐとしては、ＬＮＧ液化プラント設備、ＬＮＧ再ガス化プラント設備、ＣＯ２回収設備、発電設備等、熱源を備える各種の設備が適用可能である。
【００２５】
図１に示すように、浮体構造物１００は、洋上に浮揚する直方体形状の構造物である。浮体構造物１００は、水平方向の長さがＬ１，Ｌ２であり、鉛直方向の長さがＬ３である。鉛直方向の長さＬ３は、水平方向の長さＬ１，Ｌ２よりも短くなっている。
【００２６】
図１に示すように、海面Ｓと浮体構造物１００の４つの側面が交わる箇所が喫水線Ｄとなっている。喫水線Ｄの下方の海中には、海水流入口１０が設けられている。海水流入口１０が配置された浮体構造物１００の側面と対向する側面には、海水流出口２０（図２参照）が設けられている。このように、海水流入口１０と海水流出口２０とが、それぞれ隣接せずに対向する側面に設けられている。
【００２７】
図２は、本実施形態の浮体構造物１００及び冷却水系統１０１を示す概略構成図である。図２の浮体構造物１００は、図１の長さＬ１で示す方向に沿った断面で示されている。この断面は、海水流入口１０と海水流出口２０とが存在する位置における断面となっている。
【００２８】
図２に示すように、海水流入口１０及び海水流出口２０は、浮体構造物１００の外周面かつ喫水線Ｄの下方に設けられている。浮体構造物１００は、海水流入口１０から流入する海水を流通させる上流側流路７０と、上流側流路７０から流入する海水を流通させて海水流出口２０へ導く下流側流路８０とを備える。上流側流路７０と下流側流路８０とは連結流路９０により連結されている。
【００２９】
海水流入口１０は、図１に示すように、浮体構造物１００の側面に設けられており、側面に直交する方向にみた場合の形状が長方形となっている。上流側流路７０、下流側流路８０、及び連結流路９０の断面形状（不図示）は、海水流入口１０と略同形状の長方形となっている。なお、上流側流路７０、下流側流路８０、及び連結流路９０の断面形状は、長方形でなく、例えば円形状や楕円形状であってもよい。
【００３０】
連結流路９０には、海水を用いてプラント設備Ｐの熱源（不図示）を冷却する熱交換器３０が設けられている。熱交換器３０は、冷却水系統１０１を循環する冷却水が流通する配管を含むものである。熱交換器３０としては、シェルアンドチューブ式熱交換器を用いてもよいし、プレート式熱交換器を用いてもよい。後述するように、熱交換器３０は、プラント設備Ｐの熱源を直接的に冷却するものではないが、プラント設備Ｐの熱源を冷却する冷却水系統１０１を循環する冷却水を冷却することにより、プラント設備Ｐの熱源を間接的に冷却する。
【００３１】
冷却水系統１０１は、上流側ヘッダ５１と、下流側ヘッダ５２と、冷却器６１と、冷却器６２と、冷却器６３とを備える。上流側ヘッダ５１の冷却水はそれぞれ分岐して冷却器６１，冷却器６２，冷却器６３に流入する。冷却器６１，冷却器６２，冷却器６３は、それぞれプラント設備Ｐが備える複数の熱源（不図示）に直接的又は間接的に接触するように設けられている。
【００３２】
冷却器６１，冷却器６２，冷却器６３を通過した冷却水は、プラント設備Ｐの熱源との熱交換によって、その温度が上昇した状態となっている。この冷却水は、循環ポンプ４０により冷却水配管１０２を経由して熱交換器３０の一部を構成する配管に送られる。熱交換器３０において海水により冷却された冷却水は、冷却水配管１０３を経由して上流側ヘッダ５１に再び供給される。このように、循環ポンプ４０の動力により、冷却水系統１０１の冷却水は循環する。
【００３３】
熱交換器３０により冷却水系統１０１の冷却水と海水との熱交換が行われ、海水が熱せられると、海水が下方から上方に移動する自然対流が発生する。この自然対流の発生に伴い、熱交換器３０の下方に配置された流入位置から熱交換器３０の上方に配置された流出位置に向けて海水が流れる。流入位置は上流側流路７０に連通しており、流出位置は下流側流路８０に連通しているので、上流側流路から下流側流路に向けて海水が移動する。
【００３４】
連結流路９０での下方から上方への海水の移動に伴って、上流側流路７０では海水流入口１０から連結流路９０に向けた海水の移動が開始する。同様に、連結流路９０での下方から上方への海水の移動に伴って、下流側流路８０では連結流路９０から海水流出口２０に向けた海水の移動が開始する。このようにして、熱交換器３０における冷却水系統１０１の冷却水と海水との熱交換により、海水流入口１０から海水流出口２０へ向けた海水の自然対流が発生する。
【００３５】
図２に示すように、本実施形態の海水流入口１０は、海水流出口２０より低い位置に配置されている。また、上流側流路７０及び下流側流路８０は、喫水線Ｄからの鉛直方向の距離が同じ位置となるように水平方向に延在する流路となっている。
このような構造となっているため、連結流路９０での下方から上方への海水の移動（自然対流）が発生すると、海水流入口１０から連結流路９０への海水の移動、連結流路９０から海水流出口２０への海水の移動がそれぞれ円滑に行われる。
【００３６】
以上説明したように、本実施形態の浮体構造物１００は、浮体構造物１００の外周面かつ喫水線Ｄの下方に設けられた海水流入口１０及び海水流出口２０を備える。海水流入口１０から上流側流路７に流入した海水は、連結流路９０を経由して下流側流路８０に流入し、海水流出口２０から浮体構造物１００の外部へ流出する。連結流路９０には熱交換器３０が設けられており、海水を用いてプラント設備Ｐの熱源（不図示）を冷却する。この熱交換器３０は、上流側流路７０から連結流路９０に海水が流入する流入位置よりも上方であって連結流路９０から下流側流路８０に海水が流出する流出位置よりも下方に配置されている。
【００３７】
連結流路９０において熱交換器３０により海水が熱せられると、海水が下方から上方に移動する自然対流が発生する。自然対流の発生に伴い、熱交換器３０の下方に配置された流入位置から熱交換器３０の上方に配置された流出位置に向けて海水が流れる。流入位置は上流側流路７０に連通しており、流出位置は下流側流路８０に連通しているので、上流側流路７０から下流側流路８０に向けて海水が移動する。
このようにすることで、海面Ｓより上方に設置されるプラント設備に海水を汲み上げるための付帯設備の設置を必須とすることなく、海水を用いてプラント設備Ｐの熱源を冷却することが可能な浮体構造物１００を提供することができる。
【００３８】
また、本実施形態の浮体構造物１００は、海水流入口１０が、海水流出口２０より低い位置に配置されている。このようにすることで、自然対流の発生に伴って生じる上流側流路７０から下流側流路８０に向けた海水の移動をより円滑に行わせることができる。
【００３９】
また、本実施形態の浮体構造物１００は、鉛直方向の長さＬ３が他の方向の長さＬ１，Ｌ２よりも短い直方体形状であり、海水流入口１０と海水流出口２０とが、それぞれ隣接せずに対向する側面に設けられている。このようにすることで、海水流入口１０と海水流出口２０が十分に離れた位置とすることができる。従って、海水流出口２０から流出した海水が再び海水流入口１０から流入し、熱交換器３０の冷却効率を低めてしまう不具合を防止することができる。
【００４０】
〔第２実施形態〕
以下、本発明の第２実施形態の浮体構造物について、図３を参照しつつ説明する。
第２実施形態は第１実施形態の変形例であり、以下で説明する点を除き、第１実施形態と同様である。第１実施形態と同一の符号が付されたものについては第２実施形態における説明を省略する。
第１実施形態の浮体構造物１００と第２実施形態の浮体構造物２００とは、海水流入口から海水流出口に至る流路の位置及び形状が異なっている。
【００４１】
図３に示すように、第２実施形態の浮体構造物２００は、海水流入口１１と海水流出口２１とが、同一の側面に設けられている。浮体構造物２００は、海水流入口１１から流入する海水を流通させる上流側流路７１と、上流側流路７１から流入する海水を流通させて海水流出口２１へ導く下流側流路８１とを備える。上流側流路７１と下流側流路８１とは連結流路９１により連結されている。
【００４２】
第２実施形態の浮体構造物２００では、海水流入口１１と海水流出口２１とが、同一の側面に設けられているので、海水流入口と海水流出口とを対向する側面に設ける場合に比べ、上流側流路及び下流側流路の流路長を短くすることが可能となる。上流側流路及び下流側流路の流路長を短くすることにより、上流側流路から下流側流路に向けた海水の移動をより円滑に行わせることができる。
【００４３】
〔第３実施形態〕
以下、本発明の第３実施形態の浮体構造物について、図４を参照しつつ説明する。
第３実施形態は第１実施形態の変形例であり、以下で説明する点を除き、第１実施形態と同様である。第１実施形態と同一の符号が付されたものについては第３実施形態における説明を省略する。
第１実施形態の浮体構造物１００と第３実施形態の浮体構造物３００とは、海水流入口から海水流出口に至る流路の位置及び形状が異なっている。
【００４４】
図４に示すように、第３実施形態の浮体構造物３００は、海水流入口１２が浮体構造物３００の下面に設けられ、海水流出口２２が浮体構造物３００のいずれか１つの側面に設けられている。浮体構造物３００は、海水流入口１２から流入する海水を流通させる上流側流路７２と、上流側流路７２から流入する海水を流通させて海水流出口２２へ導く下流側流路８２とを備える。上流側流路７２と下流側流路８２とは連結流路９２により連結されている。
【００４５】
第３実施形態の浮体構造物３００では、海水流入口１２が浮体構造物３００の下面に設けられているので、浮体構造物３００の外周面のうち最も低い位置である下面から上流側流路７２に向けて鉛直方向に海水が流入する。従って、自然対流の発生に伴って生じる上流側流路７２から下流側流路８２に向けた海水の移動をより円滑に行わせることができる。
【００４６】
また、海水流入口と海水流出口とを対向する側面に設ける場合に比べ、上流側流路及び下流側流路の流路長を短くすることが可能となる。更に、浮体構造物３００の下面から海水が流入するため、他の実施形態よりも低温の海水を熱交換器３０に導くことができる。
【００４７】
〔第４実施形態〕
以下、本発明の第４実施形態の浮体構造物について、図５を用いて説明する。図５は、第４実施形態の浮体構造物及び中間熱媒体系統を示す概略構成図である。
第１実施形態の浮体構造物１００が備える熱交換器３０は、プラント設備Ｐの冷却水系統１０１を循環する冷却水と海水との熱交換を行うものであった。それに対して本実施形態の浮体構造物４００が備える熱交換器４３０は、液化ガスと海水との熱交換を行うものである。
【００４８】
本実施形態は第１実施形態の変形例であり、以下で説明する点を除き、第１実施形態と同様である。第１実施形態と同一の符号が付されたものについては本実施形態における説明を省略する。
【００４９】
第４実施形態の浮体構造物４００に搭載されるプラント設備Ｐは、液化された天然ガス（ＬＮＧ）を再ガス化する再ガス化プラント設備である。ＬＮＧは、海水との温度差が２００℃程度あるので、海水を加熱用の熱源として用いることで、ＬＮＧを再ガス化させることができる。
【００５０】
第１実施形態において、冷却水系統１０１は、海水との熱交換が行われる冷却水を循環させるものであった。本実施形態では、冷却水系統１０１の替わりに、プロパンガス等の中間熱媒体を循環させる中間熱媒体系統４０１を用いる。中間熱媒体は、海水の熱をＬＮＧに伝達するための熱媒体として、中間熱媒体系統４０１を循環する。
【００５１】
また、第１実施形態において、冷却器６１，６２，６３は、プラント設備Ｐが備える複数の熱源を直接的又は間接的に冷却するものであった。本実施形態では、冷却器６１，６２，６３の替わりに加熱器４６１，４６２，４６３がプラント設備Ｐに備わっており、加熱器４６１，４６２，４６３により海水により加熱された中間熱媒体を用いて液化ガスを加熱する。加熱器４６１，４６２，４６３により加熱された液化ガスは、ガス化する。
【００５２】
第１実施形態の熱交換器３０は、海水よりも高温の冷却水と熱交換を行うことにより海水が熱せられるものであった。それに対し、第４実施形態の熱交換器４３０は、海水よりも低温の中間熱媒体との熱交換を行うことにより海水を冷却する。従って、本実施形態においては、熱交換器４３０の近傍で海水が上方から下方に移動する自然対流が発生する。
【００５３】
第１実施形態の海水流入口１０は、海水流出口２０より低い位置に配置されている。それに対して本実施形態の海水流入口１３は、海水流出口２３より高い位置に配置されている。また、上流側流路７３及び下流側流路８３は、喫水線Ｄからの鉛直方向の距離が同じ位置となるように水平方向に延在する流路となっている。
【００５４】
従って、本実施形態の熱交換器９３は、上流側流路７３から連結流路９３に海水が流入する流入位置よりも下方であって連結流路９３から下流側流路８３に海水が流出する流出位置よりも上方に配置される。
【００５５】
このような構造となっているため、連結流路９３での上方から下方への海水の移動（自然対流）が発生すると、海水流入口１３から連結流路９３への海水の移動、連結流路９３から海水流出口２３への海水の移動がそれぞれ円滑に行われる。
【００５６】
以上説明したように、第４実施形態は、第１実施形態の変形例であったが、他の態様であってもよい。例えば、第２実施形態の変形例としてもよい。この場合、前述と同様に、熱交換器９３は、海水よりも低温の中間熱媒体との熱交換を行うことにより海水を冷却するものとなる。そして、この変形例では、海水流入口１３と海水流出口２３とが、同一の側面に設けられ、海水流入口１３よりも海水流出口２３が低い位置に設けられる。
【００５７】
更に、第４実施形態を第３実施形態の変形例としてもよい。この場合、前述と同様に、熱交換器９３は、海水よりも低温の中間熱媒体との熱交換を行うことにより海水を冷却するものとなる。そして、この変形例では、海水流出口２３が浮体構造物４００の下面に設けられ、海水流入口１３が浮体構造物４００のいずれか１つの側面に設けられる。
【００５８】
以上の説明において、本発明の好適な実施形態を説明したが、本発明の技術的思想を逸脱しない範囲で、適宜変更した他の実施形態を採用することができる。
【符号の説明】
【００５９】
１０，１１，１２，１３  海水流入口
２０，２１，２２，２３  海水流出口
３０，４３０  熱交換器
４０  循環ポンプ
５１  上流側ヘッダ
５２  下流側ヘッダ
６１，６２，６３  冷却器
７０，７１，７２，７３  上流側流路
８０，８１，８２，８３  下流側流路
９０，９１，９２，９３  連結流路
１００，２００，３００，４００  浮体構造物
１０１  冷却系統
１０２  冷却水配管
１０３  冷却水配管
４０１  中間熱媒体系統
４６１，４６２，４６３  加熱器
Ｄ  喫水線
Ｌ１  浮体構造物の長さ
Ｌ２  浮体構造物の幅
Ｌ３  浮体構造物の高さ（浮体構造物の鉛直方向の長さ）
Ｐ  プラント設備
Ｓ  海面
【図１】
2015054577.tif 000003
【図２】
2015054577.tif 000004
【図３】
2015054577.tif 000005
【図４】
2015054577.tif 000006
【図５】
2015054577.tif 000007